(57)【要約】【課題】根がらみの配置およびジャッキベースの敷板への釘止めを行わずとも、足場の滑動を防止すること。【解決手段】足場を構成する支柱Ｘの最下層に設けた桁方向の水平材Ｙ１と梁方向の水平材Ｙ２との間に脱着自在な角度規制具Ａを取り付けて各水平材間の平面視角度を略直角に規制することで、足場の滑動を防止する。【選択図】図５
2019190007.tif 000002
【特許請求の範囲】
【請求項１】
足場を構成する支柱の最下層に設けた、桁方向の水平材と梁方向の水平材との間を繋ぐ、角度規制具であって、
桁方向の水平材に脱着可能な、第１の受け部と、
梁方向の水平材に脱着可能な、第２の受け部と、
前記第１の受け部と前記第２の受け部とを繋ぐ、連絡部と、
を少なくとも有し、
各水平材間の平面視角度を略直角に規制することを特徴とする、
足場用の角度規制具。
【請求項２】
前記第１の受け部および第２の受け部のうち少なくとも何れかに、脱着した水平材の抜け出しを防止する抜け止め部を設けてあることを特徴とする、
請求項１に記載の足場用の角度規制具。
【請求項３】
前記抜け止め部が、クサビ結合、クランプ結合またはボルト結合で構成してあることを特徴とする、
請求項１または２に記載の足場用の角度規制具。
【請求項４】
前記第１の受け部および第２の受け部のうち少なくとも何れか一方を、水平材の上方または下方から脱着可能としてあることを特徴とする、
請求項１乃至３のうち何れか１項に記載の足場用の角度規制具。
【請求項５】
前記第１の受け部および第２の受け部のうち少なくとも何れか一方を、水平材の側方から脱着可能としてあることを特徴とする、
請求項１乃至３のうち何れか１項に記載の足場用の角度規制具。
【請求項６】
足場の滑動および沈下を防止するための安定化構造であって、
前記支柱に接続する桁方向の水平材と梁方向の水平材とを繋いで、各水平材間の角度を略直角に規制する、請求項１乃至５のうち何れか１項に記載の角度規制具と、
足場を構成するジャッキベースの下に設置する、沈下防止材と、
を少なくとも含み、
前記支柱間に接続する根がらみと、前記沈下防止材に対するジャッキベースの固定と、を省略してあることを特徴とする、
足場の安定化構造。
【発明の詳細な説明】
【技術分野】
【０００１】
本発明は、足場の滑動を防止するための角度規制具、および足場の滑動および沈下を防止するための安定化構造に関する。
【背景技術】
【０００２】
図６に、従来の足場の安定化構造を示す。
クサビ緊結式足場の組立に際し、非特許文献１には、足場の滑動を防止するための構造として、以下の基準が記載されている。
（１）桁行方向、梁間方向それぞれに、水平材ｂとは別部材の根がらみｃを設けること。
（２）根がらみｃは、できる限り地面から近い位置に設置し、緊結部付の各支柱ａに緊結すること。
（３）桁行方向の根がらみｃは足場用鋼管を少なくとも３本以上の複数の支柱ａにまたがるようにし、緊結金具や単管ジョイントなどの連結具ｃ１を用いて取り付けること。（図６（ａ）参照）
（４）なお、支柱ａの底部のねじ管式のジャッキベースｄを２本以上の釘ｆ等により敷板ｅに固定した場合は、桁行方向の根がらみｃを省略してもよい。（図６（ｂ）参照）
【０００３】
このように、足場の滑動を防止するためには、少なくとも３本以上の支柱に跨がるように根がらみを配置するか、あるいはジャッキベースを敷板に釘止めして支柱の位置を固定しておくことが必要であった。
【先行技術文献】
【非特許文献】
【０００４】
【非特許文献１】〔改訂版〕くさび緊結式足場の組立て及び使用に関する技術基準、一般社団法人仮設工業会、平成２７年６月３０日発行
【発明の概要】
【発明が解決しようとする課題】
【０００５】
しかし、上記従来の方法では以下の問題のうち、少なくとも何れか１つの問題を奏する。
（１）長尺の根がらみを要する。
根がらみとして、２スパン以上の長さの長尺材を用意しなければならない。長尺材は運搬性や取扱性の悪化に繋がることから、部材の選定に向上の余地が残されている。
（２）組立時の釘止め作業や解体時の釘抜き作業に労力と時間を要する。
釘止め作業、釘抜き作業の何れも、敷板に対する低所での作業となるため、作業員の負担が大きい。また組立時間や解体時間の長期化にも繋がっている。
【０００６】
よって、本発明は、根がらみの配置、および、ジャッキベースの敷板への釘止めを行わずとも、足場の滑動を防止するための手段の提供を目的とするものである。
【課題を解決するための手段】
【０００７】
上記課題を解決すべくなされた本願の第１発明は、足場を構成する支柱の最下層に設けた、桁方向の水平材と梁方向の水平材との間を繋ぐ、角度規制具であって、桁方向の水平材に脱着可能な、第１の受け部と、梁方向の水平材に脱着可能な、第２の受け部と、前記第１の受け部と前記第２の受け部とを繋ぐ、連絡部と、を少なくとも有し、各水平材間の平面視角度を略直角に規制することを特徴とする。
また、本願の第２発明は、前記第１発明において、前記第１の受け部および第２の受け部のうち少なくとも何れかに、脱着した水平材の抜け出しを防止する抜け止め部を設けてあることを特徴とする。
また、本願の第３発明は、前記第１発明または第２発明において、前記抜け止め部が、クサビ結合、クランプ結合またはボルト結合で構成してあることを特徴とする。
また、本願の第４発明は、前記第１発明乃至第３発明のうち何れかにおいて、前記第１の受け部および第２の受け部のうち少なくとも何れか一方を、水平材の上方または下方から脱着可能としてあることを特徴とする。
また、本願の第５発明は、前記第１発明乃至第３発明のうち何れかにおいて、前記第１の受け部および第２の受け部のうち少なくとも何れか一方を、水平材の側方から脱着可能としてあることを特徴とする、
また、本願の第６発明は、足場の滑動および沈下を防止するための安定化構造であって、前記支柱に接続する桁方向の水平材と梁方向の水平材とを繋いで、各水平材間の角度を略直角に規制する、本願の第１発明乃至第５発明のうち何れか一つに記載の角度規制具と、足場を構成するジャッキベースの下に設置する、沈下防止材と、を少なくとも含み、前記支柱間に接続する根がらみと、前記沈下防止材に対するジャッキベースの固定と、を省略してあることを特徴とする。
【発明の効果】
【０００８】
本発明によれば、以下に記載する効果を奏する。
（１）足場の滑動を防止できる。
脱着自在な角度規制具を桁方向および梁方向の水平材間に架け渡すように取り付けて各水平材間の平面視角度を略直角に規制することで、足場の滑動を防止することができる。
（２）根がらみの設置や敷板への釘止めが不要となる。
角度規制具でもって足場の滑動を防止できるため、根がらみを設ける必要が無く、また敷板などの沈下防止材にジャッキベースを釘止めする必要も無いため、組立時や解体時の作業効率性が向上する。
（３）角度規制具の抜け出しを防止することができる。
角度規制具に抜け止め部を設けることで、水平材と角度規制具とが分離することが無くなり、より水平材間の角度規制を有効に発揮し続けることができる。
【図面の簡単な説明】
【０００９】
【図１】本発明に係る角度規制具の概略平面図。
【図２】抜け止め部の概略斜視図。
【図３】角度規制具の取付状態を示す概略平面図。
【図４】角度規制具の変形例を示す概略平面図。
【図５】本発明に係る足場の安定化構造を示す概略斜視図。
【図６】従来の足場の安定化構造を示す概略斜視図。
【発明を実施するための形態】
【００１０】
以下、図面を参照しながら、本発明の実施例について説明する。
【実施例１】
【００１１】
始めに、本発明に係る角度規制具Ａについて説明する。
【００１２】
＜１＞全体構成（図１）
図１は、本発明に係る角度規制具Ａの正面概略図である。
角度規制具Ａは、足場を構成する支柱の最下層に設けた、桁方向の水平材と梁方向の水平材との間を繋いで、いわゆる火打ち材の機能を発揮するため部材である。
角度規制具Ａは、主として、連絡部１０、第１の受け部２０ａ、第２の受け部２０ｂ、を少なくとも有して構成する。
以下、各部の詳細について説明する。
【００１３】
＜２＞連絡部（図１）
連絡部１０は、後述する第１の受け部２０ａと第２の受け部２０ｂとを繋いで連絡するための部材である。
本実施例では、連絡部１０を鋼管で構成し、該鋼管の一端に第１の受け部２０ａ、他端に第２の受け部２０ｂを溶接によって接合している。
【００１４】
＜２．１＞連絡部の形状
本発明において連絡部１０の形状は特段限定しない。
すなわち、連絡部１０は直線形状を呈する部材であっても良いし、複数辺からなる部材であっても良いし、湾曲形状を呈する部材であってもよい。
本実施例では、連絡部１０を、各水平材に対して略４５°の内角を有する斜材で構成しており、各水平材と連絡部１０とで略直角二等辺三角形状を呈している。
【００１５】
＜３＞第１の受け部・第２の受け部（図１）
第１の受け部２０ａおよび第２の受け部２０ｂ（以下、単に「受け部２０」ともいう。）は、足場を構成する支柱の最下層（ジャッキベースの直上）に位置する水平材に脱着するための部材である。
【００１６】
＜３．１＞脱着機構の種類
受け部２０における水平材との脱着機構は、嵌め込み式、狭持式、把持式などの公知の取付機構を採用することができる。
本実施例では、受け部２０を嵌め込み式で構成しており、第１の受け部２０ａを桁方向の水平材に上方から嵌め込み、第２の受け部２０ｂを梁方向の水平材に上方から嵌め込むよう構成している。
【００１７】
＜３．２＞受け部の構成例
本実施例に係る受け部２０は、水平材を嵌め込んで収容する収容部３０と、水平材の長手方向に直交する方向にクサビ４３を打ち込んで、収容部３０に収容した水平材の抜け出しを防止する抜け止め部４０を少なくとも有する。
以下、各部の詳細について説明する。
【００１８】
＜３．３＞収容部
収容部３０は、脱着対象の水平材を収容するための部材である。
収容部３０の形状は、水平材を収容可能な形状であれば如何なる形状であってもよい。
本実施例では、収容部３０を、脱着対象の水平材の長手方向からみて下部を開口したＵ字プレートで構成している。
この収容部３０の長さが極端に短いと、収容した水平材の拘束効果が発揮しにくいことから、ある程度余裕を持った長さとするよう、連絡部１０との接合部分から延伸しておくことが好ましい。
本実施例では、収容部３０の延伸方向を、連絡部１０と受け部との接合部分から外側へと離れる方向としている。
【００１９】
＜３．４＞抜け止め部（図１，２）
抜け止め部４０は、受け部２０と水平材との間での抜け出しを防止するための箇所である。
本発明に係る抜け止め部４０は、クサビ結合、クランプ結合またはボルト結合の何れかを選択することができる。
本実施例では、抜け止め部４０をクサビ結合で構成している。
また抜け止め部４０のクサビは受け部に一体化するように取り付けておくとクサビの紛失を防止できる点で好ましい。
【００２０】
＜３．４．１＞抜け止め部の構成例（図２）
本実施例に係る抜け止め部４０の構成の詳細について、図２を参照しながら説明する。
図２に示す抜け止め部４０は、収容部３０の側壁から横方向に張り出すように設けたＵ字プレートで構成した対向壁４１と、該対向壁４１間を繋ぐように配置した軸部４２と、前記軸部４２に沿って摺動および回動自在な溝４３１を内部に設けてなるクサビ４３と、前記収容部３０の外側および内側の側壁をそれぞれ貫通してある挿通孔４４とを有して構成している。
使用前の抜け止め部４０では、クサビ４３の先端側の溝４３１に軸部４２が接近しており、クサビ４３の長手方向は受け部２０と略並行して整列した状態となっている。
抜け止め部４０を使用する際には、受け部２０に水平材を嵌め込んだ状態から、９０°回転させたクサビ４３を、前記した挿通孔４４へと差し込み、適宜ハンマーなどでクサビ４３の頭部を打突して緊結することで、収容部３０の開口を閉塞し、受け部２０に収容した水平材の抜け出し・離脱を防止することができる。
【００２１】
＜３．４．２＞抜け止め部の位置（図１）
抜け止め部４０の位置は、本発明において特段限定しない。
なお、本実施例では、抜け止め部４０を、連絡部１０と受け部２０との接合部分から、外側へと離れる方向に離隔した位置に設けている。
これは、抜け止め部４０を構成するクサビ４３が連絡部１０に干渉することを防止することや、緊結したクサビ４３の先端をハンマーで打突する際に、連絡部１０が作業の邪魔にならないようにすること、などの理由による。
【００２２】
＜４＞取付イメージ（図３）
図３は、角度規制具Ａを取り付けた際のイメージを示す概略平面図である。
図３に示す水平材Ｙ（Ｙ１，Ｙ２）は、足場を構成する支柱Ｘの最下層に設けてある水平材である。
この桁方向の水平材Ｙ１と梁方向の水平材Ｙ２とで平面視して略矩形形状を呈する空間において、少なくとも二箇所以上の隅部にそれぞれ角度規制具Ａを上から取り付け、前記隅部の角度を略直角に固定する。
本実施例では、対角線上に配置した二つの隅部に、角度規制具Ａを取り付けている。
なお、この角度規制具Ａは水平材の下から上へと差し込んで使用してもよい。
【００２３】
＜４．１＞作用効果
上記取付構造によれば、角度規制具Ａを取り付けた隅部の平面視角度を略直角に固定した箇所を二箇所以上設けることで、支柱Ｘに対する各水平材Ｙの移動を規制することができる。その結果、足場の滑動を防止することができる。
【００２４】
＜５＞その他の変形例
角度規制具Ａのその他の構成例について以下説明する。
【００２５】
＜５．１＞横から脱着するタイプ（図４）
本発明に係る角度規制具Ａは、水平材Ｙの側方から脱着する態様とすることができる。
図４（ａ）は本変形例に係る角度規制具の概略平面図であり、図４（ｂ）は、該角度規制具の概略正面図である。
図４（ｂ）に示すように、本変形例に係る角度規制具Ａは、受け部２０を構成する収容部３０の開口を側方に設け、抜け止め部４０を収容部３０の上部に設けてクサビ４３を上方から差し込み可能に構成している。
使用時には、図４（ａ）に示すように角度規制具Ａを各水平材Ｙで囲んだ空間の内部側から隅部に向かって側方に差し込み、その後クサビ４３を上方から打ち込んで角度規制具Ａと水平材Ｙとを一体化する。
【００２６】
＜５．２＞抜け止め部を設けないタイプ（図示せず）
本発明に係る角度規制具Ａは、各受け部２０の一部または全部について、抜け止め部４０を省略し、前記収容部３０で水平材Ｙを嵌め込んで固定する態様とすることができる、
このとき、収容部３０の収容幅や開口幅を水平材Ｙの外径よりも狭くし、角度規制具Ａを押し込んで嵌合するような態様としておくと、水平材Ｙから角度規制具Ａが振動などによって簡単に外れることを防止することができる
【実施例２】
【００２７】
次に、図５を参照しながら本発明に係る角度規制具Ａを用いた足場の安定化構造について説明する。
【００２８】
＜１＞足場の安定化構造（図５）
足場の安定化構造とは、足場の滑動および沈下を防止することで、足場をより安定化させるための構造を指す。
図５に示す足場の安定化構造は、足場を構成する支柱Ｘの最下層に設置したジャッキベースＸ１の下に沈下防止材Ｂを設置し、さらに前記支柱Ｘの最下層に設けている桁方向の水平材Ｙ１と梁方向の水平材Ｙ２との間に、本発明に係る角度規制具Ａを設けた状態である。
上記した足場の安定化構造では、滑動防止機能は角度規制具Ａが担い、沈下防止機能は沈下防止材Ｂが担うこととなる。
以下、各機能について説明する。
【００２９】
＜２＞滑動防止機能
滑動防止機能は、各水平材Ｙ間に取り付ける角度規制具Ａが担う。
作用効果は、前記した実施例１の通りであるため詳細な説明は省略する。
【００３０】
＜３＞沈下防止機能
沈下防止機能は、ジャッキベースＸ１の下に設けた沈下防止材Ｂが担う。
沈下防止材Ｂは、その接地面積をジャッキベースＸ１の接地面積よりも広くすることで、単位面積あたりの荷重負担を軽減することで足場の沈下を防止する部材である。
沈下防止材Ｂは、ジャッキベースＸ１毎に独立した部材である敷盤Ｂ１を設けるタイプ（図５（ａ））や、桁行方向に連続して複数のジャッキベースＸ１を載置する敷板Ｂ２を設けるタイプなどがある。
【００３１】
＜４＞作用効果
上記した安定化構造によれば、足場の滑動防止機能を角度規制具Ａが担うため、沈下防止材Ｂに滑動防止機能を発揮させるための機構や加工を施す必要が無い。
特に、図５（ｂ）に示す敷板Ｂ１からなる沈下防止材Ｂを採用する際に、敷板Ｂ１とジャッキベースＸ１とを釘止めすることで滑動防止機能を付与する必要がなくなるため、組立時や解体時の作業効率性の向上に寄与する。
【符号の説明】
【００３２】
Ａ    ：角度規制具
１０  ：連絡部
２０ａ：第１の受け部
２０ｂ：第２の受け部
３０  ：収容部
４０  ：抜け止め部
４１  ：対向壁
４２  ：軸部
４３  ：クサビ
４４  ：挿通孔
Ｂ    ：沈下防止材
Ｘ    ：支柱
Ｘ１  ：ジャッキベース
Ｙ    ：水平材
ａ    ：支柱
ｂ    ：水平材
ｃ    ：根がらみ
ｃ１  ：連結具
ｄ    ：ジャッキベース
ｅ    ：敷板
ｆ    ：釘
【図１】
2019190007.tif 000003
【図２】
2019190007.tif 000004
【図３】
2019190007.tif 000005
【図４】
2019190007.tif 000006
【図５】
2019190007.tif 000007
【図６】
2019190007.tif 000008